(57)【特許請求の範囲】
【請求項１】
昇降路内を昇降し、複数階のエレベータホール毎に停止自在となるとともに、出入口にかご室扉が設けられたエレベータのかご室と、
かご室上面に設置され、開口穴を有するかご室支え板と、
エレベータホール毎に昇降路内壁に設置され、かご室支え板の開口穴に貫通自在なかご室保持棒と、
エレベータのかご室がエレベータホールに停止し、かご室扉が開いた状態において、かご室が上下方向に異常に移動したことを検知する検知手段と、
検知手段が、かご室が異常に移動したことを検知した場合、かご室保持棒を駆動して、かご室支え板の開口穴に貫通させる伝達手段と、を備えたことを特徴とするエレベータのかご室保持システム。
【請求項２】
かご室保持棒を駆動する伝達手段は、かご室保持棒をかご室支え板の開口穴側へ付勢するばねと、かご室保持棒に係合するストッパとを含むことを特徴とする請求項１に記載のエレベータのかご室保持システム。
【請求項３】
検知手段は、かご室扉に設置され、開口穴を有する検知板と、エレベータホール毎に昇降路内壁に設置され、検知板の開口穴に貫通自在な検知棒とを有し、
伝達手段は、一端が検知棒に連結され、他端がかご室保持棒に係合するストッパに連結される伝達棒を有していることを特徴とする請求項２に記載のエレベータのかご室保持システム。
【請求項４】
検知手段は、かご室内に設置された停止ボタンを有し、
伝達手段は、停止ボタンからの信号に基づいてストッパを動作させる伝達レバーを有することを特徴とする請求項２に記載のエレベータのかご室保持システム。
【請求項５】
昇降路内を昇降し、複数階のエレベータホール毎に停止自在となるとともに、出入口にかご室扉から設けられたエレベータのかご室と、
かご室を駆動する駆動機構と、
かご室上面に設置され、開口穴を有するかご室支え板と、
エレベータホール毎に昇降路内壁に設置され、かご室支え板の開口穴に貫通自在なかご室保持棒と、
かご室保持棒を駆動してかご室支え板の開口穴に貫通させる伝達手段と、
地震が発生した場合、地震信号を受け、駆動機構により最寄のエレベータホールにかご室を停止させ、かつかご室扉の駆動機構によりかご室扉を開き、伝達手段により昇降路内壁に設置されたかご室保持棒を駆動して、かご室上面に設置されたかご室支え板の開口穴に貫通させる制御手段と、を備えたことを特徴とするエレベータのかご室保持システム。
【発明の詳細な説明】
【技術分野】
【０００１】
本発明は、エレベータのかご室を昇降路に対して保持するエレベータのかご室保持システムに係り、とりわけ地震等の異常が生じた場合、エレベータのかご室がエレベータホールに停止し、かご室扉が開いた状態において、かご室を昇降路に対して簡易に機械的に保持することができるエレベータのかご室保持システムに関する。
【背景技術】
【０００２】
従来より、図９に示すように、エレベータのかご室３１および釣合重り３２と、エレベータのかご室３１と釣合重り３２とを連結するロープ３３と、ロープ３３が係合するとともに巻上機３４により駆動されるシーブ３５とを含む駆動機構３０を有したつるべ式エレベータが知られている。このようなつるべ式エレベータにおいて、エレベータのかご室３１がエレベータホールに停止している場合、かご室３１に連結されたロープ３３と停止しているシーブ３５との摩擦力によってロープ３３がシーブ３５に対して停止される。通常、この間、かご室３１は、昇降路に対して機械的に保持されることはない。
【０００３】
一方、かご室を昇降路に対して機械的に保持するかご室の固定装置が開示されている（例えば、特許文献１参照）。このかご室の固定装置を有したつるべ式エレベータにおいて、かご室がエレベータホールに停止した場合、かご室上面に設けられた駆動部により駆動部に連結された駆動レバーが駆動され、駆動レバーの先端が、昇降路内壁に設けられた案内板に遊嵌される。このようにして、かご室が昇降路に対して機械的に保持されるようになっている。
【特許文献１】特開平１０−５９６６２号公報
【発明の開示】
【発明が解決しようとする課題】
【０００４】
しかしながら、通常のつるべ式エレベータにおいて、例えば、かご室内のエレベータの利用者の数が急激に変動する場合、あるいは比較的大きな地震が発生した場合、かご室と釣合重りとのバランスが取れなくなることが考えられる。この場合、ロープとシーブとの間に生じていた摩擦力が失われ、かご室がエレベータホールに対して上下方向に異常に移動することが考えられる。
【０００５】
また、上述したかご室の固定装置を有したつるべ式エレベータにおいて、不測の事態により駆動部に不具合が発生し、駆動レバーを駆動することができない場合が考えられる。この場合、かご室をエレベータホールに対して機械的に保持することが難しくなる。このため、かご室内のエレベータの利用者を、エレベータホールに降ろすことが困難となり、エレベータの利用者の安全を確保することが難しくなる。
【０００６】
本発明は、このような点を考慮してなされたものであり、地震等の異常が生じた場合、エレベータのかご室がエレベータホールに停止し、かご室扉が開いた状態において、かご室を昇降路に対して簡易に機械的に保持することができるエレベータのかご室保持システムを提供することを目的とする。
【課題を解決するための手段】
【０００７】
本発明は、昇降路内を昇降し、複数階のエレベータホール毎に停止自在となるとともに、出入口にかご室扉が設けられたエレベータのかご室と、かご室上面に設置され、開口穴を有するかご室支え板と、エレベータホール毎に昇降路内壁に設置され、かご室支え板の開口穴に貫通自在なかご室保持棒と、エレベータのかご室がエレベータホールに停止し、かご室扉が開いた状態において、かご室が上下方向に異常に移動したことを検知する検知手段と、検知手段が、かご室が異常に移動したことを検知した場合、かご室保持棒を駆動して、かご室支え板の開口穴に貫通させる伝達手段と、を備えたことを特徴とするエレベータのかご室保持システムである。
【０００８】
本発明は、かご室保持棒を駆動する伝達手段は、かご室保持棒をかご室支え板の開口穴側へ付勢するばねと、かご室保持棒に係合するストッパとを含むことを特徴とするエレベータのかご室保持システムである。
【０００９】
本発明は、検知手段は、かご室扉に設置され、開口穴を有する検知板と、エレベータホール毎に昇降路内壁に設置され、検知板の開口穴に貫通自在な検知棒とを有し、伝達手段は、一端が検知棒に連結され、他端がかご室保持棒に係合するストッパに連結される伝達棒を有していることを特徴とするエレベータのかご室保持システムである。
【００１０】
本発明は、検知手段は、かご室内に設置された停止ボタンを有し、伝達手段は、停止ボタンからの信号に基づいてストッパを動作させる伝達レバーを有することを特徴とするエレベータのかご室保持システムである。
【００１１】
本発明は、昇降路内を昇降し、複数階のエレベータホール毎に停止自在となるとともに、出入口にかご室扉から設けられたエレベータのかご室と、かご室を駆動する駆動機構と、かご室上面に設置され、開口穴を有するかご室支え板と、エレベータホール毎に昇降路内壁に設置され、かご室支え板の開口穴に貫通自在なかご室保持棒と、かご室保持棒を駆動してかご室支え板の開口穴に貫通させる伝達手段と、地震が発生した場合、地震信号を受け、駆動機構により最寄のエレベータホールにかご室を停止させ、かつかご室扉の駆動機構によりかご室扉を開き、伝達手段により昇降路内壁に設置されたかご室保持棒を駆動して、かご室上面に設置されたかご室支え板の開口穴に貫通させる制御手段と、を備えたことを特徴とするエレベータのかご室保持システムである。
【発明の効果】
【００１２】
本発明によれば、エレベータのかご室がある階のエレベータホールに停止し、かご室扉が開いた状態において、地震等の異常が発生し、かご室が上下方向に異常に移動した場合、かご室が上下方向に異常に移動したことが検知手段により検知される。検知手段がかご室の異常な移動を検知すると、伝達手段により昇降路内壁に設置されたかご室保持棒が駆動され、かご室上面に設置されたかご室支え板の開口穴に、かご室保持棒が貫通して挿入される。このことにより、かご室が、当該階のエレベータホールから大きく離れることなく、昇降路に対して簡易かつ確実に機械的に保持される。このため、不測の事態においても、かご室内のエレベータの利用者がエレベータホールへ確実に降りることができ、エレベータの利用者の安全を確保することができる。
【００１３】
本発明によれば、エレベータが通常運転している間に地震が発生した場合、エレベータのかご室保持システムの制御手段は、地震信号を受け、駆動機構により最寄のエレベータホールにかご室を停止させて、かご室扉の駆動機構によりかご室扉を開く。同時に制御手段は、伝達手段により昇降路内壁に設置されたかご室保持棒を駆動し、かご室上面に設置されたかご室支え板の開口穴に、かご室保持棒を貫通して挿入させる。このことにより、かご室が、当該階のエレベータホールから大きく離れることなく、昇降路に対して簡易かつ確実に機械的に保持される。このため、不測の事態においても、かご室内のエレベータの利用者がエレベータホールへ確実に降りることができ、エレベータの利用者の安全を確保することができる。
【発明を実施するための最良の形態】
【００１４】
第１の実施の形態
以下、図面を参照して、本発明の実施の形態について説明する。ここで、図１乃至図６は、本発明の第１の実施の形態におけるエレベータのかご室保持システムを示す図である。このうち図１は、本発明の第１の実施の形態におけるエレベータのかご室保持システムのうち、かご室側に設置された構成部材を示す斜視図であり、図２は、本発明の第１の実施の形態におけるエレベータのかご室保持システムのうち、昇降路内壁側に設置された構成部材を示す斜視図であり、図３は、本発明の第１の実施の形態におけるエレベータのかご室保持システムのうち、かご室内側に設置された停止ボタンを示す図である。また、図４は、本発明の第１の実施の形態におけるエレベータのかご室保持システムにおいて、かご室扉が閉じた状態を示す斜視図であり、図５は、本発明の第１の実施の形態におけるエレベータのかご室保持システムにおいて、かご室扉が開いた状態を示す斜視図であり、図６は、本発明の第１の実施の形態におけるエレベータのかご室保持システムにおいて、かご室扉が開いて、かご室が下方に異常に移動した状態を示す斜視図である。
【００１５】
まず、図１および図２により、エレベータのかご室保持システム２０の全体構成について説明する。ここで、エレベータのかご室保持システム２０は、エレベータのかご室１がエレベータホール２１に停止し、かご室扉２が開いた状態において、かご室１を昇降路２２に対して機械的に保持させるためのものである。
【００１６】
図１に示すように、エレベータのかご室保持システム２０は、昇降路２２内を昇降し、複数階のエレベータホール２１（図２参照）毎に停止自在となるとともに、出入口に駆動機構２ａにより駆動されるかご室扉２が設けられたエレベータのかご室１と、昇降路２２の上方にロープ１ａを介して連結され、かご室１を駆動する駆動機構２３とを備えている。また、かご室扉２上に位置するかご室１上面の両側に、長円形状からなる開口穴４ａを有する一対のかご室支え板４が、設置されている。さらに、図２に示すように、エレベータホール２１にホール扉１１が設けられ、このホール扉１１の上方であって、各々のかご室支え板４に対応して、昇降路２２内壁の両側に、各々のかご室支え板４の開口穴４ａに貫通自在なかご室保持棒６が各々設置されている。各々のかご室保持棒６は、かご室１がエレベータホール２１に停止している場合に、かご室支え板４の長円形状からなる開口穴４ａの中央部と同じ高さになるように各々エレベータホール２１毎に設置されている（図６参照）。また、各々のかご室保持棒６に、後述する伝達手段２５のストッパ８が当接する溝６ａが形成されている。
【００１７】
また、図１および図２に示すように、かご室１のかご室扉２および昇降路２２内壁に、エレベータのかご室１がエレベータホール２１に停止し、かご室扉２が開いた状態において、かご室１が上下方向に異常に移動したことを検知する検知手段２４が設けられている。すなわち検知手段２４は、かご室１のかご室扉２に設置され、長円形状からなる開口穴３ａを有する一対の検知板３と、ホール扉１１の上方であって、エレベータホール２１毎に昇降路２２内壁に設置され、一対の検知板３の開口穴３ａに貫通自在な検知棒５とを有している。このうち検知棒５は、検知板３側の検知板側端部５ａと、後述する伝達棒７に連結される伝達棒連結部５ｃと、検知板側端部５ａと伝達棒連結部５ｃとの間に位置するとともに、昇降路２２内壁に対して検知棒５を支持する支持部５ｂとからなっている。この検知棒５は、かご室１がエレベータホール２１に停止している場合に、検知板３の長円形状からなる開口穴３ａの上部と同じ高さになるようにエレベータホール２１毎に設置されている（図５参照）。さらに、図３に示すように、かご室１内に、かご室１を停止させる停止ボタン１２が設置されている。この停止ボタン２１は、検知手段２４として機能する。
【００１８】
また、図２に示すように、かご室保持棒６と検知手段２４との間に、検知手段２４が、かご室扉２が開いた状態においてかご室１が異常に移動したことを検知した場合、かご室保持棒６を駆動して、かご室固定棒６をかご室支え板４の開口穴４ａに貫通させる伝達手段２５が設けられている。すなわち伝達手段２５は、各々のかご室保持棒６を、対応するかご室支え板４の開口穴４ａ側へ各々付勢するばね１３と、各々のかご室保持棒６に各々係合してかご室保持棒６を停止させるストッパ８とを有している。また、検知棒５と各々のストッパ８との間に伝達棒７が連結され、この伝達棒７は、ストッパ８を動作させて、かご室保持棒６をばね１３によりかご室支え板４側へ駆動するようになっている。さらに、伝達棒７には、停止ボタン１２からの信号に基づいてストッパ８を動作させる伝達レバー９も連結されている。
【００１９】
また、図２に示すように、この伝達棒７は、昇降路２２内壁の両側に設けられた一対のサポート１０を介して昇降路２２内壁に設置されている。このように、各々のかご室保持棒６は、各々のかご室保持棒６に形成された溝６ａと当接するストッパ８と係合し、ばね１３によってかご室支え板４の開口穴４ａ側に付勢されるかご室保持棒６が、昇降路２２内壁に対して保持されるようになっている。
【００２０】
ところで、図１および図２に示すように、検知手段２４は、かご室扉２に設置された検知板３を有しているが、この検知板３を設けることなく、例えば、かご室扉２が開いた状態において上下方向に移動したことを検知することにより、かご室１が異常に移動したことを検知してかご室保持棒６を駆動させてもよい。
【００２１】
また、かご室１の上面に設置されたかご室支え板４により、かご室１が昇降路２２内壁に対して保持された場合、例えばかご室保持棒６にかかる荷重を検知することにより、かご室が上下方向に移動したことをエレベータが設置されているビルの管理人、あるいはエレベータ保守員等に通報するようにしてもよい。このことにより、不測の事態が起きた場合、かご室１内のエレベータの利用者の安全を、より一層確保することができる。
【００２２】
次に、このような構成からなる本実施の形態の作用について説明する。
【００２３】
まず、通常運転を行っている場合、エレベータのかご室１がある階のエレベータホール２１に停止し、エレベータの利用者が乗り降りする。この場合、まず図４に示すように、かご室１がエレベータホール２１に停止し、かご室扉２が閉じられた状態となっている。かご室扉２が閉じられている間、かご室扉２に設置された検知板３が、昇降路２２内壁に設置された検知棒５へ向けて移動することがないため、昇降路２２側の検知棒５は、かご室１側の検知板３の開口穴３ａに貫通することがない。
【００２４】
次に、かご室扉２の駆動機構２ａにより、エレベータのかご室１の出入口に設けられたかご室扉２が開かれる。この場合、図５に示すように、かご室扉２が開かれるとともに、かご室扉２に設置された検知板３が、昇降路２２内壁に設置された検知棒５へ向けて移動し、昇降路２２側の検知棒５が、かご室１側の検知板３の開口穴３ａに貫通して挿入される。また、昇降路２２内壁に設置されたかご室保持棒６は、ばね１３によりかご室支え板４側へ付勢されているが、ストッパ８により係止されているため、かご室保持棒６が、かご室１側のかご室支え板４の開口穴４ａに貫通することがない。
【００２５】
さらに、エレベータの利用者が、かご室１を乗り降りした後、通常運転を継続するためにかご室扉２が閉じられた場合、かご室扉２が閉じられるとともに、かご室１側の検知板３は、昇降路２２側の検知棒５から離れる。このため、かご室１は昇降路２２内を昇降し、エレベータは通常運転を行うことができるようになっている。
【００２６】
次に、昇降路２２側の検知棒５が、かご室１側の検知板３の開口穴３ａに貫通して挿入されている状態で、地震等の不測の事態により、かご室扉２が開かれた状態にあるエレベータのかご室１が下方へ異常に移動した場合、図６に示すように、かご室扉２とともにかご室扉２に設置された検知板３が下方へ移動する。この場合、検知板３の開口穴３ａに貫通していた検知棒５の検知板側端部５ａが下方へ移動し、検知棒５の支持部５ｂを支点にして、てこの原理により、伝達棒７に連結された検知棒５の伝達棒連結部５ｃが上方へ移動する。
【００２７】
この場合、検知棒５の伝達棒連結部５ｃとともに、検知棒５に連結された伝達棒７および伝達棒７に連結されたストッパ８が上方へ移動し、かご室保持棒６と、かご室保持棒６の溝６ａに当接していたストッパ８との係合が解かれる。このことにより、かご室保持棒６は、ばね１３の力により、かご室支え板４の開口穴４ａ側へ駆動され、かご室保持棒６は、かご室支え板４の開口穴４ａに貫通して挿入される。このようにして、かご室１を、当該階のエレベータホール２１から大きく離すことなく、かご室支え板４およびかご室保持棒６を介して昇降路２２内壁に機械的に保持することができる。
【００２８】
他方、昇降路２２側の検知棒５が、かご室１側の検知板３の開口穴３ａに貫通して挿入されている状態で、地震等の不測の事態により、かご室扉２が開かれた状態にあるエレベータのかご室１が上方へ異常に移動した場合、かご室扉２とともにかご室扉２に設置された検知板３が上方へ移動する。この場合、検知板３の開口穴３ａに貫通していた検知棒５の検知板側端部５ａが上方へ移動し、検知棒５の支持部５ｂを支点にして、てこの原理により、伝達棒７に連結された検知棒５の伝達棒連結部５ｃが下方へ移動する。
【００２９】
この場合、検知棒５の伝達棒連結部５ｃとともに、検知棒５に連結された伝達棒７および伝達棒７に連結されたストッパ８が下方へ移動し、かご室保持棒６と、かご室保持棒６の溝６ａに当接していたストッパ８との係合が解かれる。このことにより、かご室保持棒６は、ばね１３の力により、かご室支え板４の開口穴４ａ側へ駆動され、かご室保持棒６は、かご室支え板４の開口穴４ａに貫通して挿入される。このようにして、かご室１を、当該階のエレベータホール２１から大きく離すことなく、かご室支え板４およびかご室保持棒６を介して昇降路２２内壁に機械的に保持することができる。
【００３０】
この間、昇降路２２側の検知棒５が、かご室１側の検知板３の開口穴３ａに貫通して挿入されている状態で、かご室１がエレベータホール２１に停止してかご室扉２が開いている状態において、地震等の不測の事態によりかご室１が上方または下方へ異常に移動した場合、かご室１内のエレベータの利用者が、エレベータのかご室１内に設置された停止ボタン１２を押すことによってかご室１を昇降路２２内壁に対して機械的に保持させてもよい。
【００３１】
すなわち、まず、エレベータの利用者は、かご室１内に設置された停止ボタン１２を押す。その後、停止ボタン１２からの信号に基づいて、伝達棒７に連結されている伝達レバー９を介して、伝達棒７とともに伝達棒７に連結されたストッパ８が上方へ移動し、かご室保持棒６と、かご室保持棒６の溝６ａに当接していたストッパ８との係合が解かれる。このことにより、かご室保持棒６は、ばね１３の力により、かご室支え板４の開口穴４ａ側へ駆動され、かご室支え板４の開口穴４ａに貫通して挿入される。このようにして、かご室１を、当該階のエレベータホール２１から大きく離すことなく、かご室支え板４およびかご室保持棒６を介して昇降路２２内壁に機械的に保持することができる。
【００３２】
このように本実施の形態によれば、エレベータのかご室１がある階のエレベータホール２１に停止し、かご室扉２が開いた状態において、かご室扉２に設置された検知板３の開口穴３ａに、昇降路２２内壁に設置された検知棒５が貫通して挿入される。この状態において、地震等の不測の事態によりかご室１が下方へ異常に移動した場合、かご室扉２側の検知板３が下方へ移動するため、昇降路２２内壁側の検知棒５の検知板側端部５ａが下方へ移動する。このため、検知棒５の支持部５ｂを支点にして、てこの原理により、検知棒５に連結された伝達棒７を介してストッパ８が上方へ移動し、ばね１３により付勢されているかご室保持棒６とストッパ８との係合が解かれる。他方、地震等の不測の事態によりかご室１が上方へ異常に移動した場合、かご室扉２側の検知板３が上方へ移動するため、昇降路２２内壁側の検知棒５の検知板側端部５ａが上方へ移動する。このため、検知棒５の支持部５ｂを支点にして、てこの原理により、検知棒５に連結された伝達棒７を介してストッパ８が下方へ移動し、ばね１３により付勢されているかご室保持棒６とストッパ８との係合が解かれる。このことにより、かご室１上面に設置されたかご室支え板４の開口穴４ａに、昇降路２２内壁側のかご室保持棒６が貫通して挿入される。このため、かご室１を、当該階のエレベータホール２１から大きく離すことなく、昇降路２２に対して簡易かつ確実に機械的に保持することができる。
【００３３】
第２の実施の形態
次に、図７および図８により、本発明の第２の実施の形態におけるエレベータのかご室保持システムについて説明する。ここで図７は、本発明の第２の実施の形態におけるエレベータのかご室保持システムのうち、昇降路内壁側に設置された構成部材を示す斜視図であり、図８は、本発明の第２の実施の形態におけるエレベータのかご室保持システムにおいて、制御方法を示すフロー図である。
【００３４】
図７および図８に示す第２の実施の形態において、エレベータのかご室保持システム２０は、地震が発生した場合に、かご室１を昇降路２２内壁に対して保持させる制御手段２６をさらに備えた点が異なるのみであり、他の構成は、図１乃至図６に示す第１の実施の形態と略同一である。なお、図７および図８において、図１乃至図６に示す第１の実施の形態と同一部分には同一符号を付して詳細な説明は省略する。
【００３５】
図１および図７に示すように、伝達棒７に連結される伝達レバー９に、地震が発生した場合、図示しない地震計または監視システムからの地震信号を受け、駆動機構２３を駆動制御して最寄のエレベータホール２１にかご室１を停止させて、かご室扉２の駆動機構２ａによりかご室扉２を開き、かつ伝達手段２５により昇降路２２内壁に設置されたかご室保持棒６を駆動して、かご室１上面に設置されたかご室支え板４の開口穴４ａに貫通させる制御手段２６が連結されている。
【００３６】
次に、本実施の形態による作用について、図８に示すフロー図により説明する。まず、ステップＳ１において、制御手段２６により地震が発生したか否かが判断される。ここで、地震が発生していないと判断されると、エレベータは通常運転を継続する（ステップＳ２）。
【００３７】
次に、地震が発生すると、制御手段２６に地震信号が入力され、ステップＳ１において、制御手段２６により地震が発生したと判断される。この場合、制御手段２６は、駆動機構２３を駆動制御して最寄のエレベータホール２１にかご室１を停止し、かご室扉２の駆動機構２ａによりかご室扉２を開く（ステップＳ３）。
【００３８】
次に、ステップＳ４において、ストッパ８とかご室保持棒６との係合が解かれて、かご室保持棒６を、かご室１上面に設置されたかご室支え板４の開口穴４ａに貫通させて挿入することができる。この場合、図７に示すように、まず、制御手段２６は、伝達レバー９を駆動し、伝達棒７とともに伝達棒７に連結されたストッパ８が上方へ移動し、かご室保持棒６とストッパ８との係合が解かれる。このことにより、かご室保持棒６はばね１３の力により、かご室支え板４の開口穴４ａ側へ駆動され、かご室支え板４の開口穴４ａに貫通して挿入される。このようにして、かご室１を、当該階のエレベータホール２１から大きく離すことなく、かご室支え板４およびかご室保持棒６を介して昇降路２２内壁に機械的に保持することができる。
【００３９】
このように本実施の形態によれば、エレベータが通常運転している間に地震が発生した場合、制御手段２６は、地震信号を受け、駆動機構２３により最寄のエレベータホール２１にかご室１を停止させ、かご室扉２の駆動機構２ａによりかご室扉２を開く。同時に、制御手段２６は、伝達レバー９と伝達棒７とによりストッパ８とかご室保持棒６との係合を解除して、昇降路２２内壁に設置されたかご室保持棒６を駆動し、かご室１上面に設置されたかご室支え板４の開口穴４ａに、かご室保持棒６を貫通して挿入させる。このことにより、かご室１を、当該階のエレベータホール２１から大きく離すことなく、昇降路２２に対して簡易かつ確実に機械的に保持することができる。
【図面の簡単な説明】
【００４０】
【図１】図１は、本発明の第１の実施の形態におけるエレベータのかご室保持システムのうち、かご室側に設置された構成部材を示す斜視図である。
【図２】図２は、本発明の第１の実施の形態におけるエレベータのかご室保持システムのうち、昇降路内壁側に設置された構成部材を示す斜視図である。
【図３】図３は、本発明の第１の実施の形態におけるエレベータのかご室保持システムのうち、かご室内側に設置された停止ボタンを示す図である。
【図４】図４は、本発明の第１の実施の形態におけるエレベータのかご室保持システムにおいて、かご室扉が閉じた状態を示す斜視図である。
【図５】図５は、本発明の第１の実施の形態におけるエレベータのかご室保持システムにおいて、かご室扉が開いた状態を示す斜視図である。
【図６】図６は、本発明の第１の実施の形態におけるエレベータのかご室保持システムにおいて、かご室扉が開いた状態において、かご室扉が開いて、かご室が下方に異常に移動した状態を示す斜視図である。
【図７】図７は、本発明の第２の実施の形態におけるエレベータのかご室保持システムのうち、昇降路内壁側に設置された構成部材を示す斜視図である。
【図８】図８は、本発明の第２の実施の形態におけるエレベータのかご室保持システムにおいて、制御方法を示すフロー図である。
【図９】図９は、従来のつるべ式エレベータの駆動機構を示す図である。
【符号の説明】
【００４１】
１      かご室
１ａ    ロープ
２      かご室扉
２ａ    駆動機構
３      検知板
３ａ    開口穴
４      かご室支え板
４ａ    開口穴
５      検知棒
５ａ    検知板側端部
５ｂ    支持部
５ｃ    伝達棒連結部
６      かご室保持棒
６ａ    溝
７      伝達棒
８      ストッパ
９      伝達レバー
１０    サポート
１１    ホール扉
１２    停止ボタン
１３    ばね
２０    エレベータのかご室保持システム
２１    エレベータホール
２２    昇降路
２３    駆動機構
２４    検知手段
２５    伝達手段
２６    制御手段
３０    駆動機構
３１    かご室
３２    釣合重り
３３    ロープ
３４    巻上機
３５    シーブ
【図１】
0005030156.tif 000002
【図２】
0005030156.tif 000003
【図３】
0005030156.tif 000004
【図４】
0005030156.tif 000005
【図５】
0005030156.tif 000006
【図６】
0005030156.tif 000007
【図７】
0005030156.tif 000008
【図８】
0005030156.tif 000009
【図９】
0005030156.tif 000010